(57)【要約】【課題】高コストにならずに、視聴中または録画中であっても、放送しているチャネル以外の他チャネルの情報を取得できるデジタルテレビジョンチューナ装置を提供する。【解決手段】チューナユニット１１の内部にアンテナ分配部１３と、選局部１５、復調部１６およびＥＰＧデータを取得するための目的だけに簡略化された構成を有するＴＳ抽出部１７とを備えている。ＴＳ抽出部１７は、ＴＳ抽出部１７は、地上デジタル放送におけるＴＳパケットからＥＰＧデータのみを抜き取る。ＴＳ制御部１４は、選局部２が選局したチャネルのＴＳデータにＴＳ抽出部１７が抽出したＥＰＧデータ（選局部１５が選局したチャネルの番組表データ）を挿入して、ＭＰＥＧデータとして出力する。多重分離部１９は、ＥＰＧデータを含むＭＰＥＧデータを、映像データ、音声データおよびＥＰＧデータ等のそれぞれ毎の結合データを作成する。【選択図】図１
2008141579.tif 000002
【特許請求の範囲】
【請求項１】
デジタルテレビジョン放送を受信するデジタルテレビジョンチューナ装置において、
アンテナの受信信号を分岐する分岐手段と、
前記分岐手段の一方の出力信号から映像データを含むストリームを生成するストリーム生成手段と、
前記分岐手段の他方の出力信号から番組情報データのみを抽出する番組情報データ抽出手段と、
前記ストリームに、番組情報データ抽出手段が抽出した番組情報データを挿入して合成ストリームとして出力するデータ結合手段とを備えた
ことを特徴とするデジタルテレビジョンチューナ装置。
【請求項２】
データ結合手段が出力した合成ストリームから、番組情報データにもとづく番組情報と映像データにもとづく映像とを重畳した信号を作成する重畳手段を備えた
請求項１記載のデジタルテレビジョンチューナ装置。
【請求項３】
ＭＰＥＧ復号を行うＭＰＥＧデコード部を備え、
ストリームは、映像データとしての映像パケットを含む地上デジタル放送におけるトランスポートストリームであり、番組情報データはＥＰＧパケットであって、
重畳手段は、前記ＭＰＥＧデコード部に設けられている
請求項２記載のデジタルテレビジョンチューナ装置。
【請求項４】
アンテナの受信信号から映像データを含む地上デジタル放送におけるトランスポートストリームを生成する第２のストリーム生成手段を備え、
前記第２のストリーム生成手段が生成したトランスポートストリームは、ＭＰＥＧデコード部に入力される
請求項３記載のデジタルテレビジョンチューナ装置。
【請求項５】
番組情報データの抽出対象となるチャネルを選択する選択手段を備えた
請求項１から請求項４のうちのいずれか１項に記載のデジタルテレビジョンチューナ装置。
【請求項６】
請求項１から請求項５のうちのいずれか１項に記載のデジタルテレビジョンチューナ装置と、重畳手段が作成した信号にもとづいて映像を表示する表示部とを備えた
デジタルテレビジョン受像装置。
【発明の詳細な説明】
【技術分野】
【０００１】
本発明は、デジタルテレビジョン放送を受信するデジタルテレビジョンチューナ装置およびデジタルテレビジョン受像装置に関する。
【背景技術】
【０００２】
地上デジタル放送でも、ＢＳデジタル放送の場合と同様に、番組選択の補助として電子番組ガイド（Electronic Program Guide。以下、ＥＰＧという。）が用いられる。しかし、ＢＳデジタル放送の場合とは異なり、各放送局は、自局（自チャネル）の番組データしか送信しない。そこで、他チャネルの番組データを受信してＥＰＧを作成したり複数チャネルの番組データを受信して複数チャネルのＥＰＧを作成するデジタル放送受信システムが考案されている（特許文献１参照。）。
【０００３】
【特許文献１】特開２０００−２４４８３２号公報（段落００１０−００１１、図１）
【発明の開示】
【発明が解決しようとする課題】
【０００４】
しかし、特許文献１に記載されているような一般的なデジタル放送受信システムでは、他チャネルの情報を含むＥＰＧを作成する場合、複数の受信チャネルにおけるすべてのデータを処理しなければならない。したがって、他チャネルの情報を含むＥＰＧを作成する場合でも、一般的なデジタル放送受信システムでは、映像データや音声データ等のデータも処理しなければならない。
【０００５】
以下、一般的な地上デジタル放送受信システムについて説明する。図７は、一般的な地上デジタル放送受信システムの一例を示すシステム構成図である。地上デジタル放送受信システムは、アンテナ１と、チューナユニット１１Ａと、ＭＰＥＧデコード部１２と、コントロール部８と、表示部９と、スピーカ１０とを備えている。なお、図７では１つのチューナユニットを備えたシステムが示されているが、地上デジタル放送受信システムとして、図９に示すように、複数のチューナユニットを備えているシステムもある。
【０００６】
チューナユニット１１Ａは、選局部２と、復調部３と、ＴＳ（Transport Stream）制御部４とを含む。選局部２は、アンテナ１で受信された信号に対して受信チャネルを設定（選局）し、その受信チャネルに対応した周波数の放送（信号）を抜き取って復調部３に出力する。なお、選局部２は、抽出した信号を増幅する機能を備えている。
【０００７】
復調部３は、選局部２から受け取った信号を変換する。具体的には、復調部３は、選局したチャネルのアナログ信号をデジタル信号に変換し、ＴＳデータとしてＴＳ制御部４に出力する。
【０００８】
ＴＳ制御部４は、復調部３から受け取ったＴＳデータから映像や音声等に係るデータを抽出してＭＰＥＧデコード部１２に出力する。また、ＴＳ制御部４は、復調部３から受け取ったデジタル信号のエラー訂正を実行する機能を備えている。以下、ＴＳ制御部４からＭＰＥＧデコード部１２に入力されるＴＳデータをＭＰＥＧデータともいう。
【０００９】
ＭＰＥＧデコード部１２は、多重分離部５と、デコード部６と、画像重畳部７とを含む。多重分離部５は、ＴＳ制御部４から受け取ったＭＰＥＧデータから、映像データ、音声データ、ＥＰＧデータ等を種類分けする。
【００１０】
デコード部６は、圧縮されている映像データや音声データ等を復号して所望のデータを得る。すなわち、デコード部６は、映像データをＬＣＤ等の表示部９に表示させるデータに変換する。また、デコード部６は、圧縮されている音声データを復号してスピーカへ出力させるデータを得る。画像重畳部７は、デコード部６が出力したデータに、コントロール部８から出力されたデータを重畳した後、表示部９に出力する。
【００１１】
次に、図７に示された地上デジタル放送受信システムの動作を説明する。図８は、図７に示された地上デジタル放送受信システムの動作を示すフローチャートである。まず、使用者は、視聴したいチャネルのチャネル番号を入力手段（図示せず）から入力する。すなわち、受信チャネルを設定する（ステップＳ８０１）。使用者の設定はコントロール部８に伝達される。コントロール部８は、使用者の設定を選局部２に通知する。選局部２は、設定された受信チャネルに対応した周波数を設定する（ステップＳ８０２）。
【００１２】
復調部３は、受信した信号を復調してデジタル信号に変換し、映像データ等のＴＳパケットを含むＴＳデータをＴＳ制御部４に出力する（ステップＳ８０３）。ＴＳデータには、映像データ、音声データ、ＥＰＧデータ等のＰＩＤ（Packet ID ）で識別されるＴＳパケットが含まれている。ＴＳ制御部４は、入力したＴＳデータから映像データ、音声データ、ＥＰＧデータ等を抽出し、ＭＰＥＧデータとして多重分離部５に出力する（ステップＳ８０４）。
【００１３】
多重分離部５は、ＴＳ制御部４から受け取ったＭＰＥＧデータから、映像データ、音声データ、ＥＰＧデータ等を種類毎に結合する（ステップＳ８０５）。つまり、多重分離部５は、映像データ、音声データ、ＥＰＧデータ等のそれぞれ毎の結合データを作成する。
【００１４】
デコード部６は、多重分離部５が結合した各データをデコードし（ステップＳ８０６）、画像重畳部７に出力する（ステップＳ８０７）。
【００１５】
以上のように、一般的な地上デジタル放送受信システムには、図７に示されているように選局機能部および復調機能部が１つしかないため、１つの放送チャネルのデータしか受信できない。一般的な地上デジタル放送では、ＥＰＧには、放送しているチャネルの情報のみしか含まれていない。したがって、一般的な地上デジタル放送受信システムでは裏番組（他チャネル）のＥＰＧデータを取得することができず、視聴中、または録画中には裏番組の情報を更新することができない。
【００１６】
特別放送の挿入や野球放送の延長等により、録画予約している番組の放送開始時間に変更があった場合、録画したい番組を予定通りに録画できないことがある。一般的な地上デジタル放送受信システムでは、受信中のチャネルにはそのチャネルの情報しか存在しないため、使用者は、そのチャネルの視聴中には、裏番組の情報を認識できない。その結果、使用者は、裏番組の番組変更に気付かず、所望の裏番組を録画できなくなる可能性がある。地上デジタルチューナを２個搭載する（例えば、図９に示すような地上デジタル放送受信システム）ことにより、上記の問題を回避することも可能であるが、その場合には、コストアップになる。つまり、地上デジタル放送受信システムが２つのチューナユニットを持つ場合、２画面（番組）同時録画や地上デジタル放送を視聴しながら裏番組を録画する等高機能・高付加価値の製品に適用されている場合が多い。そのため、コストが高くなる。なお、図９に示すシステムにおけるチューナユニット１１Ｂにおいて、選局部２Ｂ、復調部３ＢおよびＴＳ制御部４Ｂの構成は、それぞれ、選局部２、復調部３およびＴＳ制御部４の構成と同じである。また、アンテナ１Ｂの構成は、アンテナ１の構成と同じである。
【００１７】
また、２番組録画する場合には同じ問題が発生する。上記のように、２画面（番組）同時録画可能な地上デジタル放送受信システムは高機能・高付加価値の製品になっているので、それに対するユーザの期待は高い。所望の裏番組を録画できないのでは、ユーザの期待に応えられないことになり、製品価値が低下することになる。
【００１８】
そこで、本発明は、高コストにならずに、視聴中または録画中であっても、放送しているチャネル以外の他チャネルの情報を取得できるデジタルテレビジョンチューナ装置およびデジタルテレビジョン受像装置を提供することを目的とする。
【課題を解決するための手段】
【００１９】
本発明によるデジタルテレビジョンチューナ装置は、アンテナの受信信号を分岐する分岐手段と、前記分岐手段の一方の出力信号から映像データを含むストリームを生成するストリーム生成手段と、前記分岐手段の他方の出力信号から番組情報データのみを抽出する番組情報データ抽出手段と、前記ストリームに、番組情報データ抽出手段が抽出した番組情報データを挿入して合成ストリームとして出力するデータ結合手段とを備えたことを特徴とする。
【００２０】
デジタルテレビジョンチューナ装置は、データ結合手段が出力した合成ストリームから、番組情報データにもとづく番組情報と映像データにもとづく映像とを重畳した信号を作成する重畳手段を備えていてもよい。
【００２１】
デジタルテレビジョンチューナ装置は、ＭＰＥＧ復号を行うＭＰＥＧデコード部を備え、ストリームは、映像データとしての映像パケットを含む地上デジタル放送におけるトランスポートストリームであり、番組情報データはＥＰＧパケットであって、重畳手段は、前記ＭＰＥＧデコード部に設けられているように構成されていてもよい。
【００２２】
デジタルテレビジョンチューナ装置は、アンテナの受信信号から映像データを含む地上デジタル放送におけるトランスポートストリームを生成する第２のストリーム生成手段（例えば、復調部３ＢおよびＴＳ制御部４Ｂで実現される。）を備え、前記第２のストリーム生成手段が生成したトランスポートストリームは、ＭＰＥＧデコード部に入力されるように構成されていてもよい。
【００２３】
デジタルテレビジョンチューナ装置は、番組情報データの抽出対象となるチャネルを選択する選択手段（例えば、利用者が操作可能な入力手段およびコントロール部８で実現される。）を備えていてもよい。
【００２４】
本発明によるデジタルテレビジョン受像装置は、上記のデジタルテレビジョンチューナ装置と、重畳手段が作成した信号にもとづいて映像を表示する表示部とを備えたことを特徴とする。
【００２５】
本発明による好ましい態様のデジタル放送受信システムは、チューナユニットの内部に、アンテナ分配部（例えば、図１におけるアンテナ分配部１３）と、電子番組ガイド（ＥＰＧ）を取得するための目的だけに簡略化された構成を有する選局部（例えば、図１における選局部１５）、復調部（例えば、図１における復調部１６）、および、電子番組ガイド等のデータ放送のＴＳパッケットを抜き取る機能を有したデータＴＳ抽出部（例えば、図１におけるＴＳ抽出部１７）と、ＴＳ抽出部が抜き出したデータを１つのＴＳデータとして出力するＴＳ制御部（例えば、図１におけるＴＳ制御部１４）と、ＴＳ抽出部が抜き出したデータを基に裏番組（他チャネル）の電子番組ガイド等のデータを結合する多重分離部（例えば、図１における多重分離部１９）とを備えたことを特徴とする。
【発明の効果】
【００２６】
本発明によれば、チューナユニットを２つ使用しなくても地上デジタル放送を視聴中、または録画中に裏番組（他チャネル）のデータ（例えば電子番組データ）を取得することができる。
【発明を実施するための最良の形態】
【００２７】
実施の形態１．
以下、本発明の実施の形態を図面を参照して説明する。図１は、地上デジタル放送受信システム（デジタルテレビジョンチューナ装置を含むデジタルテレビジョン受像装置）の第１の実施の形態を示すシステム構成図である。図１に示されているように、本実施の形態の地上デジタル放送受信システムは、図７に示すような一般的な地上デジタル放送受信システムの構成要素を備え、さらに、チューナユニット１１の内部にアンテナ分配部１３と、選局部１５、復調部１６およびＥＰＧデータを取得するための目的だけに簡略化された構成を有するＴＳ抽出部１７とを備えている。なお、本実施の形態の地上デジタル放送受信システムのＴＳ制御部１４および多重分離部１９は、図７に示す一般的な地上デジタル放送受信システムのＴＳ制御部４および多重分離部５とは異なる処理を実行する。
【００２８】
ＴＳ抽出部１７は、上述したように、ＥＰＧデータのみを取得する構成に簡略化されている。すなわち、ＴＳ抽出部１７は、データ放送（地上デジタル放送）におけるＴＳパケットからＥＰＧデータのみを抜き取る。
【００２９】
ＴＳ制御部１４は、ＴＳ抽出部１７が抜き出したデータをＴＳパケットとして出力する。具体的には、ＴＳ制御部１４は、選局部２が選局したチャネルのＴＳデータにＴＳ抽出部１７が抽出したＥＰＧデータ（すなわち、選局部１５が選局したチャネルの番組表データ）を挿入して、ＭＰＥＧデータとして出力する。
【００３０】
多重分離部１９は、ＥＰＧデータを含むＭＰＥＧデータを、映像データ、音声データおよびＥＰＧデータ等のそれぞれ毎の結合データを作成する。
【００３１】
なお、多重分離部１９は、放送局ＩＤ（サービスＩＤ）とＭＰＥＧのＴＳ−ＭＰＥＧデータのＰＩＤとにもとづいてＴＳパケットの種類を判別する。以下、放送局ＩＤとＭＰＥＧのＴＳ−ＭＰＥＧデータのＰＩＤとを単にＰＩＤという。また、本実施の形態では、ストリーム生成手段は、復調部３とＴＳ制御部４とで実現され、番組情報データ抽出手段は、復調部１６とＴＳ抽出部１７とで実現されている。データ結合手段は、ＴＳ制御部４で実現されている。
【００３２】
次に、本発明による地上デジタル放送受信システムの動作を説明する。図２は、地上デジタル放送受信システムの動作を示すフローチャートである。まず、アンテナ分配部１３は、アンテナ１が受信した信号を分岐させる（ステップＳ１０１）。
【００３３】
使用者は、視聴したいチャネルのチャネル番号（受信チャネルＡとする。）を入力手段（図示せず）から入力する。すなわち、受信チャネルＡを設定する（ステップＳ１０２）。使用者の設定はコントロール部８に伝達される。コントロール部８は、使用者の設定を選局部２に通知する。選局部２は、受信チャネルＡに対応した周波数を設定する（ステップＳ１０３）。
【００３４】
復調部３は、受信した信号を復調してデジタル信号に変換し、映像データ等のＴＳパケットを含むＴＳデータをＴＳ制御部４に出力する（ステップＳ１０４）。ＴＳデータには、映像データ、音声データ、ＥＰＧデータ等のＰＩＤで識別されるＴＳパケットが含まれている。ＴＳ制御部４は、入力したＴＳデータからＴＳパケットを抽出し、ＭＰＥＧデータとして多重分離部５に出力する（ステップＳ１０５）。
【００３５】
使用者は、番組表作成対象のチャネルのチャネル番号（受信チャネルＢとする。）を入力手段から入力する。すなわち、受信チャネルＢを設定する（ステップＳ１０６）。使用者の設定はコントロール部８に伝達される。コントロール部８は、使用者の設定を選局部１５に通知する。選局部１５は、受信チャネルＢに対応した周波数を設定する（ステップＳ１０７）。また、コントロール部８は、ＴＳ抽出部１７に対して、受信すべきＴＳパケット（この例では、ＥＰＧデータ）がいずれであるのかの設定を行う（ステップＳ１０８）。
【００３６】
復調部１６は、受信した信号を復調してデジタル信号に変換し（ステップＳ１０９）、ＴＳ抽出部１７に出力する。ＴＳ抽出部１７には、映像データ、音声データ、ＥＰＧデータ等の受信チャネルＢのＴＳパケットが入力されるが（ステップＳ１１０）、ＴＳ抽出部１７は、映像データ、音声データ、ＥＰＧデータ等の中から、設定された番組表データ（ＥＰＧデータ）のＰＩＤに対応するＴＳパケットのみを抽出する（ステップＳ１１１）。そして、ＴＳ抽出部１７は、抽出したＴＳパケットをＴＳ制御部１４に出力する。
【００３７】
ＴＳ制御部１４は、受信チャネルＡにおけるＴＳデータ（映像データ、音声データ、ＥＰＧデータ等）に、ＴＳ抽出部１７が抽出した受信チャネルＢにおけるＴＳパケット（ＥＰＧデータ）を挿入することによってＴＳデータの合成を行う（ステップＳ１１２）。そして、ＴＳ制御部１４は、合成したＴＳデータをＭＰＥＧデータ（合成ストリームに相当）として多重分離部１９に出力する。その際、ＴＳ制御部１４は、デジタル信号のエラー訂正を実行する。
【００３８】
以下、図３および図４の説明図を参照してより具体的に説明する。図３は、チューナユニット１８で実行される処理を説明するための説明図である。なお、図３（ａ）は、選局部２および復調部３側のＴＳパケット（すなわち、受信チャネルＡにおけるＴＳパケット）を示し、図３（ｂ）は、選局部１５および復調部１６側のＴＳパケット（すなわち、受信チャネルＢにおけるＴＳパケット）を示している。また、図３（ｃ）は、ＴＳ制御部１４が多重分離部１９に出力するＴＳデータ（ＭＰＥＧデータ）を示している。
【００３９】
図３（ｂ）に示すように、ＴＳ抽出部１７は、受信チャネルＢにおけるＴＳデータの中から、番組表データ（ＥＰＧデータ）のＰＩＤに対応したＴＳパケットを抽出する（ステップＳ１１１）。ＴＳ制御部１４は、ＴＳ抽出部１７が抽出したＴＳパケットを受信チャネルＡにおけるＴＳパケットに挿入する（ステップＳ１１２）。そして、ＴＳ制御部１４は、図３（ｃ）に示されているように、受信チャネルＡおよび受信チャネルＢにおけるＴＳパケットを合成したＴＳデータを多重分離部１９に出力する。
【００４０】
多重分離部１９は、ＴＳ制御部１４から受け取ったＴＳデータ（ＭＰＥＧデータ）を分離して（ステップＳ１１３）、映像データ、音声データ、ＥＰＧデータ等の種類毎に結合する（ステップＳ１１４）。
【００４１】
図４は、多重分離部１９の動作をより具体的に説明するための説明図である。図４に示されているように、多重分離部１９は、入力されたＴＳパケットから、受信チャネルＡにおける映像データ、音声データおよび番組表データと、受信チャネルＢにおける番組表データ（ＥＰＧデータ）とをそれぞれ分離して種類毎に結合する（ステップＳ１１３，Ｓ１１４）。その際、多重分離部１９は、ＰＩＤにもとづいてそれぞれのデータを判別する。そして、結合した各データをデコード部６に出力する。
【００４２】
デコード部６は、多重分離部１９が結合した各データをデコードし（ステップＳ１１５）、画像データとＥＰＧデータとを画像重畳部７に出力し、音声データをスピーカ１０に出力する（ステップＳ１１６）。画像重畳部７は、入力された画像データとＥＰＧデータとを重畳し、表示部９に表示させる。なお、画像重畳部７は、コントロール部８からの指示に従って、放送する映像データとＥＰＧデータとを重畳する。
【００４３】
以上のように、本発明による地上デジタル放送受信システムは、チューナユニットを２つ使用しなくても、放送しているチャネル以外の他チャネルの情報を含んだＥＰＧを作成することができる。よって、作成したＥＰＧにもとづいて、予約した番組の時間変更情報を取得し録画スタートする時間を変更することができる。
【００４４】
例えば、地上デジタル放送の録画を予定している番組の放送時間に変更があった場合、地上デジタル放送を視聴中、または録画中であっても、裏番組（他チャネル）のＥＰＧデータを取得することができる。したがって、予約している番組の録画時間をＥＰＧデータにもとづいて変更することができ、番組の放送時間の急な変更にも対応できる。
【００４５】
実施の形態２．
次に、第２の実施の形態を図面を参照して説明する。図５は、地上デジタル放送受信システムの第２の実施の形態を示すシステム構成図である。図５に示されているように、本発明による地上デジタル放送受信システムは、図９に示された２つのチューナユニットを備えた地上デジタル放送受信システムの構成要素を備え、さらに、チューナユニット内部にアンテナ分配部１３と、選局部１５、復調部１６およびＥＰＧデータを取得するための目的だけに簡略化された構成を有するＴＳ抽出部１７とを備える。なお、図５に示すチューナユニット１８の構成および動作は、図１に示されたチューナユニット１８の構成および動作と同じである。
【００４６】
次に、本実施の形態における地上デジタル放送受信システムの動作を説明する。図６は、本実施の形態における地上デジタル放送受信システムの動作を示すフローチャートである。図６におけるステップＳ２０１〜Ｓ２１２の処理は、図２におけるステップＳ１０１〜Ｓ１１２の処理と同じである。
【００４７】
多重分離部１９は、ＴＳ制御部４ＢおよびＴＳ制御部１４から受け取ったＴＳデータ（ＭＰＥＧデータ）を分離して、各データ（映像データ、音声データおよび番組表データ）を種類ごとにそれぞれ結合する（ステップＳ２１４）。そして、多重分離部１９は、結合した各データをデコード部６に出力する。なお、多重分離部１９は、ＰＩＤにもとづいてそれぞれのデータを判別する。また、多重分離部１９は、映像データおよび音声データをチャネル毎に結合する。
【００４８】
デコード部６は、多重分離部１９が結合した各データをデコードし（ステップＳ２１５）、一方のチャネルの画像データとＥＰＧデータとを画像重畳部７に出力し、音声データをスピーカ１０に出力する（ステップＳ２１６）。また、他のチャネルの画像データとＥＰＧデータとを、例えば録画のために外部に出力する。画像重畳部７は、入力された画像データとＥＰＧデータとを重畳し、表示部９に表示させる。なお、画像重畳部７は、コントロール部８からの指示に従って、放送する映像データとＥＰＧデータとを重畳する。
【００４９】
本実施の形態の地上デジタル放送受信システムは、１つのチューナユニット（例えばチューナユニット１８）で地上デジタル放送を視聴中、または録画中に裏番組（他チャネル）のデータ（例えば電子番組データ）を取得でき、別のチューナユニット（例えばチューナユニット１１Ｂ）で別のチャネルの放送を録画または視聴できる。
【産業上の利用可能性】
【００５０】
本発明を、地上波デジタル放送等のデジタルテレビジョンチューナ装置およびデジタルテレビジョン受像装置に適用できる。
【図面の簡単な説明】
【００５１】
【図１】第１の実施の形態における地上デジタル放送受信システムの一例を示すシステム構成図である。
【図２】地上デジタル放送受信システムの動作を示すフローチャートである。
【図３】チューナユニットで実行される処理を説明するための説明図である。
【図４】多重分離部の動作を説明するための説明図である。
【図５】第２の実施の形態における地上デジタル放送受信システムの一例を示すシステム構成図である。
【図６】第２の実施の形態における地上デジタル放送受信システムの動作を示すフローチャートである。
【図７】一般的な地上デジタル放送受信システムの一例を示すシステム構成図である。
【図８】一般的な地上デジタル放送受信システムの動作を示すフローチャートである。
【図９】２つのチューナユニットを備えた一般的な地上デジタル放送受信システムの一例を示すシステム構成図である。
【符号の説明】
【００５２】
１  アンテナ
２、１５  選局部
３、１６  復調部
４、１４  ＴＳ制御部
５、１９  多重分離部
６  デコード部
７  画像重畳部
８  コントロール部
９  表示部
１０  スピーカ
１１、１８  チューナユニット
１２  ＭＰＥＧデコード部
１３  アンテナ分配部
１７  ＴＳ抽出部
【図１】
2008141579.tif 000003
【図２】
2008141579.tif 000004
【図３】
2008141579.tif 000005
【図４】
2008141579.tif 000006
【図５】
2008141579.tif 000007
【図６】
2008141579.tif 000008
【図７】
2008141579.tif 000009
【図８】
2008141579.tif 000010
【図９】
2008141579.tif 000011